(57)【要約】【課題】配索領域の一部を難燃領域としたワイヤーハーネスの製造において、作業者の負担を軽減する。【解決手段】第１ハーネス１０（ハーネス構成体）と第２ハーネス２０（回路構成体）を接続する中継ハーネス３０は、第３導体３２（導体）を第３絶縁被覆３３（被覆材）で包囲した中継電線３１と、第１ハーネス１０の第１コネクタ１６と嵌合することで中継電線３１の一方の端部を第１ハーネス１０に接続させる第１ハウジング３６と、第２ハーネス２０の第２コネクタ２６と嵌合することで中継電線３１の他方の端部を第２ハーネス２０に接続させる第２ハウジング３７とを備え、第３絶縁被覆３３を構成する被覆用樹脂材料と第１ハウジング３６及び第２ハウジング３７を構成するハウジング用樹脂材料が、第１ハーネス１０の樹脂材料よりも難燃性の高い合成樹脂である。【選択図】図１
2014229562.tif 000002
【特許請求の範囲】
【請求項１】
複数本の導電路の端末部に第１コネクタを設けたハーネス構成体と、
回路構成体に設けた第２コネクタと、前記第１コネクタとの間に配索される中継ハーネスと、
前記中継ハーネスを構成し、導体を被覆材で包囲した形態の複数本の中継電線と、
前記中継ハーネスを構成し、前記第１コネクタと嵌合することで前記中継電線の一方の端部を前記導電路に接続させる第１ハウジングと、
前記中継ハーネスを構成し、前記第２コネクタと嵌合することで前記中継電線の他方の端部を前記回路構成体に接続させる第２ハウジングとを備え、
前記被覆材を構成する被覆用樹脂材料と前記第１ハウジング及び前記第２ハウジングを構成するハウジング用樹脂材料のうち少なくとも一方の樹脂材料が、前記導電路に用いられる樹脂材料よりも難燃性の高い合成樹脂であることを特徴とするワイヤーハーネス。
【請求項２】
前記回路構成体を含む構成とされており、
前記回路構成体が、複数本のハーネス用電線の端末部に前記第２コネクタを設けた形態であることを特徴とする請求項１記載のワイヤーハーネス。
【請求項３】
前記第１ハウジングが、前記第２コネクタと同一の形状であり、
前記第２ハウジングが、前記第１コネクタと同一の形状であることを特徴とする請求項１又は請求項２記載のワイヤーハーネス。
【請求項４】
前記回路構成体が、車両に固定して設けられる機器であることを特徴とする請求項１記載のワイヤーハーネス。
【請求項５】
複数本の導電路の端末部に第１コネクタを設けたハーネス構成体と、第２コネクタを有する回路構成体との間に配索され、前記ハーネス構成体に接続することでワイヤーハーネスを構成する中継ハーネスであって、
導体を被覆材で包囲した形態の複数本の中継電線と、
前記第１コネクタと嵌合することで前記中継電線の一方の端部を前記導電路に接続させる第１ハウジングと、
前記第２コネクタと嵌合することで前記中継電線の他方の端部を前記回路構成体に接続させる第２ハウジングとを備え、
前記被覆材を構成する被覆用樹脂材料と前記第１ハウジング及び前記第２ハウジングを構成するハウジング用樹脂材料のうち少なくとも一方の樹脂材料が、前記導電路に用いられる樹脂材料よりも難燃性の高い合成樹脂であることを特徴とする中継ハーネス。
【請求項６】
前記第１ハウジングが、前記第２コネクタと同一の形状であり、
前記第２ハウジングが、前記第１コネクタと同一の形状であることを特徴とする請求項５記載の中継ハーネス。
【請求項７】
前記回路構成体が、固定して設けられる機器であることを特徴とする請求項５記載の中継ハーネス。
【発明の詳細な説明】
【技術分野】
【０００１】
本発明は、ワイヤーハーネス及び中継ハーネスに関するものである。
【背景技術】
【０００２】
特許文献１には、電線を包囲する被覆材の材料として、ノンハロゲン難燃性樹脂を用いたワイヤーハーネスが開示されている。このワイヤーハーネスを自動車に適用すれば、車両火災が発生した際に、被覆材への引火を回避して被覆材を伝達経路とする延焼を防ぐ効果を期待できる。
【先行技術文献】
【特許文献】
【０００３】
【特許文献１】特開２００３−２６３９３０号公報
【発明の概要】
【発明が解決しようとする課題】
【０００４】
車両火災における延焼を防止するためには、ワイヤーハーネスを構成する被覆材の全てを、難燃性樹脂とすることが好ましい。しかし、ノンハロゲンの難燃性樹脂の価格は、汎用の被覆材として広く用いられているＰＶＣ樹脂に比べると高価である。しかも、近年、自動車に取り付けられるワイヤーハーネスの長さや、ワイヤーハーネスを構成する電線の本数は、増大する傾向にある。そのため、ワイヤーハーネスを構成する被覆材の全てを難燃性材料にすることは、コストアップに直結する。
【０００５】
この対策としては、ワイヤーハーネスの配索経路の全領域において被覆材を難燃性にするのではなく、ワイヤーハーネスの配索経路における一部の領域のみに、難燃性の被覆材を適用する方法が考えられる。難燃性の被覆材が適用された難燃領域を、火災発生の可能性がある機器の近くに設定すれば、被覆材を伝達経路とする延焼を最小限に食い止めることができる。
【０００６】
配索領域の一部のみを難燃領域にするための具体的な手段としては、難燃領域の電線と、難燃領域よりも引火点の低い被覆材を用いた易燃焼領域の電線とを、スリーブ型の接続端子を用いて圧着等により固着し、更に、その接続部分をテープ巻きして他の電線との間を絶縁する構造が考えられる。しかし、接続端子とテープを用いて難燃領域の電線と易燃焼領域の電線を接続する工程は、作業者による手作業によって行われるものであるため、ワイヤーハーネスを構成する電線の本数が多い場合には、作業者の負担が大きい。
【０００７】
本発明は上記のような事情に基づいて完成されたものであって、配索領域の一部を難燃領域としたワイヤーハーネスの製造において、作業者の負担を軽減することを目的とする。
【課題を解決するための手段】
【０００８】
本発明のワイヤーハーネスは、
複数本の導電路の端末部に第１コネクタを設けたハーネス構成体と、
回路構成体に設けた第２コネクタと、前記第１コネクタとの間に配索される中継ハーネスと、
前記中継ハーネスを構成し、導体を被覆材で包囲した形態の複数本の中継電線と、
前記中継ハーネスを構成し、前記第１コネクタと嵌合することで前記中継電線の一方の端部を前記導電路に接続させる第１ハウジングと、
前記中継ハーネスを構成し、前記第２コネクタと嵌合することで前記中継電線の他方の端部を前記回路構成体に接続させる第２ハウジングとを備え、
前記被覆材を構成する被覆用樹脂材料と前記第１ハウジング及び前記第２ハウジングを構成するハウジング用樹脂材料のうち少なくとも一方の樹脂材料が、前記導電路に用いられる樹脂材料よりも難燃性の高い合成樹脂であるところに特徴を有する。
【０００９】
また、本発明の中継ハーネスは、
複数本の導電路の端末部に第１コネクタを設けたハーネス構成体と、第２コネクタを有する回路構成体との間に配索され、前記ハーネス構成体に接続することでワイヤーハーネスを構成するものであって、
導体を被覆材で包囲した形態の複数本の中継電線と、
前記第１コネクタと嵌合することで前記中継電線の一方の端部を前記導電路に接続させる第１ハウジングと、
前記第２コネクタと嵌合することで前記中継電線の他方の端部を前記回路構成体に接続させる第２ハウジングとを備え、
前記被覆材を構成する被覆用樹脂材料と前記第１ハウジング及び前記第２ハウジングを構成するハウジング用樹脂材料のうち少なくとも一方の樹脂材料が、前記導電路に用いられる樹脂材料よりも難燃性の高い合成樹脂であるところに特徴を有する。
【発明の効果】
【００１０】
第１ハウジングを第１コネクタに嵌合すると、中継電線の一方の端部が導電路に接続され、第２ハウジングを第２コネクタに嵌合すると、中継端子の他方の端部が回路構成体に接続され、ハーネス構成体と回路構成体との間に、中継ハーネスからなる難燃領域が構成される。ワイヤーハーネスの製造において必要とされる手作業は、ハウジングとコネクタを嵌合する作業だけなので、作業者の負担が軽くて済む。
【図面の簡単な説明】
【００１１】
【図１】実施例１においてワイヤーハーネスを第１ハーネス、第２ハーネス及び中継ハーネスに分離した状態をあらわす概略図
【図２】第１ハーネスと第２ハーネスと中継ハーネスを接続してワイヤーハーネスを構成した状態をあらわす概略図
【図３】第１コネクタと第１ハウジングを分離した状態をあらわす断面図
【図４】第２コネクタと第２ハウジングを分離した状態をあらわす断面図
【図５】第１コネクタと第１ハウジングを接続した状態をあらわす断面図
【図６】第２コネクタと第２ハウジングを接続した状態をあらわす断面図
【図７】実施例２においてワイヤーハーネスを機器から外すとともに、第１ハーネスと中継ハーネスを分離した状態をあらわす概略図
【図８】第１ハーネスと中継ハーネスを接続してワイヤーハーネスを構成し、そのワイヤーハーネスを機器に接続した状態をあらわす概略図
【発明を実施するための形態】
【００１２】
（１）本発明のワイヤーハーネスは、
前記回路構成体を含む構成とされており、
前記回路構成体が、複数本のハーネス用電線の端末部に前記第２コネクタを設けた形態であってもよい。
この発明によれば、第１ハウジングを第１コネクタに嵌合し、第２ハウジングを第２コネクタに嵌合すれば、ハーネス構成体と中継ハーネスと回路構成体とを備えたワイヤーハーネスが構成される。回路構成体がハーネス形態となっているので、ハーネス構成体の配索長と回路構成体の配索長を適宜に設定することにより、ワイヤーハーネスの配索方向における中継ハーネスによる難燃領域を、適宜に設定することができる。
【００１３】
（２）本発明のワイヤーハーネス及び中継ハーネスは、
前記第１ハウジングが、前記第２コネクタと同一の形状であり、
前記第２ハウジングが、前記第１コネクタと同一の形状であってもよい。
この発明によれば、第１ハウジングと第２コネクタを同一の金型で製造できるとともに、第２ハウジングと第１コネクタを同一の金型で製造できるので、金型コストを抑えることができる。
【００１４】
（３）本発明のワイヤーハーネス及び中継ハーネスは、
前記回路構成体が、固定して設けられる機器であってもよい。
この発明によれば、機器から出火した場合、ワイヤーハーネスのうち機器に最も近い位置に配索されている中継ハーネスで延焼を阻止することができる。
【００１５】
＜実施例１＞
以下、本発明を具体化した実施例１を図１〜図６を参照して説明する。本実施例１のワイヤーハーネスＡは、図１，２に示すように、第１ハーネス１０（請求項に記載のハーネス構成体）と、第２ハーネス２０（請求項に記載の回路構成体）と、中継ハーネス３０とを接続して構成されている。
【００１６】
第１ハーネス１０は、複数本の第１電線１１（請求項に記載の導電路）の束と、この第１電線１１の束の一方の端部（図１，２における左側の端部）に取り付けた第１コネクタ１６とを備えて構成されている。図３，５に示すように、第１電線１１は、第１導体１２を第１絶縁被覆１３で包囲した周知形態のものである。第１電線１１の端末部には、第１端子金具１４が接続されている。第１端子金具１４は、先端部に角筒部１５を有する周知形態の雌型端子である。尚、第１電線１１の他方の端部（図示省略）には、後述する第２端子金具２４と同じ形態の端子金具が接続されている。
【００１７】
第１コネクタ１６は、合成樹脂製であり、ブロック状の端子収容部１７と、端子収容部１７の外面に沿うように配した弾性撓み可能なロックアーム１８とを一体に形成したものである。端子収容部１７内においては、第１端子金具１４が挿入されて抜止め状態に保持されている。ロックアーム１８には、ロック孔２９と係止可能なロック突起１９が形成されいる。
【００１８】
第２ハーネス２０は、複数本の第２電線２１の束と、この第２電線２１の束の一方の端部（図１，２における右側の端部）に取り付けた第２コネクタ２６とを備えて構成されている。図４，６に示すように、第２電線２１は、第２導体２２を第２絶縁被覆２３で包囲した周知形態のものである。第２電線２１の端末部には、第２端子金具２４が接続されている。第２端子金具２４は、前端部に細長いタブ２５を有する周知形態の雄型端子である。尚、第２電線２１の他方の端部（図示省略）には、前述の第１端子金具１４と同じ形態の端子金具が接続されている。
【００１９】
第２コネクタ２６は、合成樹脂製であり、端子保持部２７と、端子保持部２７から正面側へ突出するフード部２８とを一体に形成したものである。端子保持部２７内においては、第２端子金具２４のうちタブ２５以外の領域が挿入されて抜止め状態に保持されている。そして、第２端子金具２４のタブ２５は、フード部２８により一括して包囲されている。また、フード部２８を構成する壁部には、ロック孔２９が形成されている。
【００２０】
第１絶縁被覆１３と第２絶縁被覆２３の材料として、比較的安価な軟質のポリ塩化ビニル（ＰＶＣ）が用いられている。この軟質のポリ塩化ビニルは、自己消火性を有するものの、発火点が概ね４５４℃であるため、燃焼時の雰囲気温度が高い状態が続く場合は燃え拡がる可能性がある。また、第１コネクタ１６と第２コネクタ２６の合成樹脂材料として、難燃性を高めたポリブチレンテレフタレート（ＰＢＴ）が用いられている。ポリブチレンテレフタレートも、自己消火性を有するものの、発火点（発火温度）が概ね３００℃と比較的低いため、燃焼時の雰囲気温度が高い状態が続く場合は燃え拡がる可能性がある。
【００２１】
中継ハーネス３０は、複数本の中継電線３１の束と、この中継電線３１の束の一方の端部に取り付けた第１ハウジング３６と、中継電線３１の束の他方の端部に取り付けた第２ハウジング３７とを備えて構成されている。中継電線３１は、第３導体３２（請求項に記載の導体）を第３絶縁被覆３３（請求項に記載の被覆材）で包囲した周知形態のものである。中継電線３１の一方の端部（図１〜３，５における右側の端部）には、第１中継端子３４が接続されている。図３，５に示すように、第１中継端子３４は、第２端子金具２４と同一種類の端子、即ち、前端部に細長いタブ２５を有する周知形態の雄型端子である。中継電線３１の他方の端部には、第２中継端子３５が接続されている。図４，６に示すように、第２中継端子３５は、第１端子金具１４と同一種類の端子、即ち、先端部に角筒部１５を有する周知形態の雌型端子である。角筒部１５内には、弾性接触片（図示省略）が収容されている。
【００２２】
第１ハウジング３６は、合成樹脂製であり、第２コネクタ２６と同一形状及び寸法に設定されている。即ち、第１ハウジング３６は、第２コネクタ２６を成型するための金型（図示省略）と同一の金型によって成型されている。図３，５に示すように、第１ハウジング３６は、端子保持部２７と、端子保持部２７から正面側へ突出するフード部２８とを一体に形成したものである。端子保持部２７内においては、第１中継端子３４のうちタブ２５以外の領域が挿入されて抜止め状態に保持されている。そして、第１中継端子３４のタブ２５は、フード部２８により一括して包囲されている。また、フード部２８を構成する壁部には、ロック孔２９が形成されている。
【００２３】
第２ハウジング３７は、合成樹脂製であり、第１コネクタ１６と同一形状及び寸法に設定されている。即ち、第２ハウジング３７は、第１コネクタ１６を成型するための金型（図示省略）と同一の金型によって成型されている。図４，６に示すように、第２ハウジング３７は、ブロック状の端子収容部１７と、端子収容部１７の外面に沿うように配した弾性撓み可能なロックアーム１８とを一体に形成したものである。端子収容部１７内においては、第２中継端子３５が挿入されて抜止め状態に保持されている。ロックアーム１８には、ロック孔２９と係止可能なロック突起１９が形成されいる。
【００２４】
中継電線３１を構成する第３絶縁被覆３３の被覆用樹脂材料、及び第１ハウジング３６と第２ハウジング３７を構成するハウジング用樹脂材料としては、第１絶縁被覆１３、第２絶縁被覆２３、第１コネクタ１６及び第２コネクタ２６を構成する合成樹脂材料よりも難燃性の高い合成樹脂が用いられている。中継電線３１用の被覆用樹脂材料及びハウジング用樹脂材料の具体例としては、ノンハロゲンタイプであって、第１絶縁被覆１３及び第２絶縁被覆２３の材料である合成樹脂よりも引火点や発火点が高く、自己消火性を有する合成樹脂材料である。難燃性の高い合成樹脂材料としては、例えば、オレフィン系樹脂をベースにノンハロゲン系難燃剤や金属水酸化物を添加したもの等を用いることができる。
【００２５】
ワイヤーハーネスＡを組み付ける際には、第１ハーネス１０の第１コネクタ１６と中継ハーネス３０の第１ハウジング３６を嵌合することにより、第１ハーネス１０と中継ハーネス３０を接続するとともに、中継ハーネス３０の第２ハウジング３７と第２ハーネス２０の第２コネクタ２６を嵌合することにより、中継ハーネス３０と第２ハーネス２０を接続する。これにより、第１ハーネス１０と第２ハーネス２０が中継ハーネス３０を介して接続された形態のワイヤーハーネスＡが構成される。
【００２６】
第１コネクタ１６と第１ハウジング３６の嵌合過程では、第１コネクタ１６が第１ハウジング３６のフード部２８内に嵌入し、ロック突起１９がフード部２８と干渉してロックアーム１８が弾性撓みする。そして、第１コネクタ１６と第１ハウジング３６が正規の嵌合状態になると、図５に示すように、ロックアーム１８が弾性復帰してロック突起１９がロック孔２９に係止し、第１コネクタ１６と第１ハウジング３６が正規嵌合状態にロックされる。また、第１コネクタ１６と第１ハウジング３６が嵌合されると、第１端子金具１４のタブ２５が第１中継端子３４の角筒部１５内に進入し、角筒部１５内に設けた弾性接触片（図示省略）とタブ２５が弾性的に接触することで、第１端子金具１４と第１中継端子３４が嵌合して導通可能に接続される。
【００２７】
また、第２コネクタ２６と第２ハウジング３７の嵌合過程では、第２ハウジング３７が第２コネクタ２６のフード部２８内に嵌入し、ロック突起１９がフード部２８と干渉してロックアーム１８が弾性撓みする。そして、第２コネクタ２６と第２ハウジング３７が正規の嵌合状態になると、図６に示すように、ロックアーム１８が弾性復帰してロック突起１９がロック孔２９に係止し、第２コネクタ２６と第２ハウジング３７が正規嵌合状態にロックされる。また、第２コネクタ２６と第２ハウジング３７が嵌合されると、第２中継端子３５のタブ２５が第２端子金具２４の角筒部１５内に進入し、角筒部１５内に設けた弾性接触片（図示省略）とタブ２５が弾性的に接触することで、第２端子金具２４と第２中継端子３５が嵌合して導通可能に接続される。
【００２８】
尚、第１コネクタ１６と第２ハウジング３７は、形状と寸法が同一の部品であり、第２コネクタ２６と第１ハウジング３６は、形状と寸法が同一の部品である。また、第１端子金具１４と第２中継端子３５は、形状と寸法が同一の部品であり、第２端子金具２４と第１中継端子３４は、形状と寸法が同一の部品である。したがって、第１コネクタ１６と第２コネクタ２６を互いに嵌合することができ、両コネクタ１６，２６を嵌合すると、第１端子金具１４と第２端子金具２４が接続され、第１ハーネス１０と第２ハーネス２０が直接、接続されるようになっている。また、第１ハウジング３６と第２ハウジング３７も互いに嵌合することができ、両ハウジング３９，３７を嵌合すると、第１中継端子３４と第２中継端子３５が互いに接続されるようになっている。
【００２９】
上述のように本実施例１のワイヤーハーネスＡは、複数本の第１電線１１の端末部に第１コネクタ１６を設けた第１ハーネス１０と、複数本の第２電線２１の端末部に第２コネクタ２６を設けた第２ハーネス２０と、第１コネクタ１６と第２コネクタ２６との間に配索される中継ハーネス３０とを備える。中継ハーネス３０は、第３導体３２を第３絶縁被覆３３で被覆した中継電線３１と、中継電線３１の一方の端部に配した第１ハウジング３６と、中継電線３１の他方の端部に配した第２ハウジング３７とを備え、第３絶縁被覆３３を構成する被覆用樹脂材料と、第１ハウジング３６及び第２ハウジング３７を構成するハウジング用樹脂材料は、いずれも、難燃性の合成樹脂製となっている。このようにワイヤーハーネスＡは、第１ハーネス１０と第２ハーネス２０との間に、中継ハーネス３０からなる難燃領域が構成されているので、第１ハーネス１０又は第２ハーネス２０の被覆材を伝達する経路で延焼しても、中継ハーネス３０のハウジング３６，３７において、延焼を食い止めることができる。
【００３０】
そして、中継ハーネス３０を構成する第１ハウジング３６は、第１コネクタ１６と嵌合することで中継電線３１の一方の端部（第１中継端子３４）を第１電線１１の第１端子金具１４に接続させるようになっており、中継ハーネス３０を構成する第２ハウジング３７は、第２コネクタ２６と嵌合することで中継電線３１の他方の端部（第２中継端子３５）を第２電線２１の第２端子金具２４に接続させるようになっている。したがって、本実施例１のワイヤーハーネスＡの製造において必要とされる手作業は、第１ハウジング３６と第１コネクタ１６を嵌合する作業と、第２ハウジング３７と第２コネクタ２６を嵌合する作業だけなので、作業者の負担が軽くて済む。
【００３１】
また、本実施例１のワイヤーハーネスＡは、難燃領域である中継ハーネス３０を、第１ハーネス１０と第２ハーネス２０の間に介在するように配索しているので、第１ハーネス１０の配索長と第２ハーネス２０の配索長を適宜に設定することにより、ワイヤーハーネスＡの配索方向における中継ハーネス３０による難燃領域を、適宜に設定することができる。
【００３２】
また、第１ハウジング３６と第２コネクタ２６は、同一の形状なので、同一の金型で製造することができる。したがって、第１ハウジング３６と第２コネクタ２６を異なる形状にする場合に比べると、金型コストを抑えることができる。同様に、第２ハウジング３７と第１コネクタ１６も、同一の形状なので、同一の金型で製造することができる。したがって、第２ハウジング３７と第１コネクタ１６を異なる形状にする場合に比べると、金型コストを抑えることができる。
【００３３】
＜実施例２＞
次に、本発明を具体化した実施例２を図７〜図８を参照して説明する。上記実施例１のワイヤーハーネスＡが、中継ハーネス３０を第１ハーネス１０と第２ハーネス２０との間に配索して構成されていたのに対し、本実施例２のワイヤーハーネスＢは、中継ハーネス３０を第１ハーネス１０と機器４０（請求項に記載の回路構成体）との間に配索して構成されている。本実施例２のワイヤーハーネスＢを構成するのは、第１ハーネス１０と中継ハーネス３０であり、機器４０は、本実施例２のワイヤーハーネスＢを構成するものではない。
【００３４】
本実施例２の第１ハーネス１０は実施例１の第１ハーネス１０と同一の構成であり、本実施例２の中継ハーネス３０は実施例１の中継ハーネス３０と同一の構成である。したがって、同じ構成については、構造、作用及び効果の説明は省略する。
【００３５】
機器４０は、電力分配装置、ジャンクションボックス、バッテリー等のように自動車に固定して設けられたものである。機器４０のケーシング４１には、第２コネクタ４２が一体に形成されている。第２コネクタ４２は、中継ハーネス３０の第２ハウジング３７が嵌合するようになっている。第２コネクタ４２のうち第２ハウジング３７と嵌合する部分（フード状の部分）は、実施例１の第２コネクタ２６と同一の構成となっている。また、実施例２の第２コネクタ４２には、機器４０の回路（図示省略）に接続された第２端子金具（図示省略）が保持されている。本実施例２の第２端子金具は、実施例１の第２端子金具２４と同一種類のものである。
【００３６】
本実施例２のワイヤーハーネスＢは、難燃領域である中継ハーネス３０を、機器４０の第２コネクタ４２に、直接、嵌合して接続している。したがって、万一、機器４０から出火した場合、ワイヤーハーネスＢのうち機器４０に最も近い位置に配索されている中継ハーネス３０の難燃領域において、延焼を阻止することができる。つまり、ワイヤーハーネスＢのうち第１ハーネス１０への延焼を防止できる。
【００３７】
＜他の実施例＞
本発明は上記記述及び図面によって説明した実施例に限定されるものではなく、例えば次のような実施例も本発明の技術的範囲に含まれる。
（１）上記実施例１では、第１ハウジングと第２コネクタを同一形状としたが、第１ハウジングと第２コネクタは異なる形状であってもよい。
（２）上記実施例１，２では、第２ハウジングと第１コネクタを同一形状としたが、第２ハウジングと第１コネクタは異なる形状であってもよい。
（３）上記実施例１，２では、第１コネクタと第２コネクタを互いに嵌合可能な形状としたが、第１コネクタと第２コネクタは互いに嵌合不能な形状であってもよい。
（４）上記実施例１，２では、第１ハウジングと第２ハウジングを互いに嵌合可能な形状としたが、第１ハウジングと第２ハウジングは互いに嵌合不能な形状であってもよい。
（５）上記実施例１，２では、第１ハウジングと第２ハウジングを異なる形状としたが、第１ハウジングと第２ハウジングは同一の形状であってもよい。
（６）上記実施例１では、第１コネクタと第２コネクタを異なる形状としたが、第１コネクタと第２コネクタは同一の形状であってもよい。
（７）上記実施例１，２では、被覆用樹脂材料とハウジング用樹脂材料の両方を難燃性の合成樹脂としたが、被覆用樹脂材料を難燃性の合成樹脂としハウジング用樹脂材料を可燃性の合成樹脂としてもよく、被覆用樹脂材料を可燃性の合成樹脂としハウジング用樹脂材料を難燃性の合成樹脂としてもよい。
（８）上記実施例１，２では、被覆用樹脂材料を難燃性の合成樹脂とした上で、更にハウジング用樹脂材料も難燃性の合成樹脂としたが、被覆用樹脂材料を難燃性の合成樹脂とした場合には、第１ハウジングと第２ハウジングのうちいずれか一方のハウジングのハウジング用樹脂材料を可燃性の合成樹脂とし、他方のハウジングのハウジング用樹脂材料を難燃性の合成樹脂としてもよい。
（９）上記実施例１，２では、中継ハーネスを構成する複数本の中継電線を１つの束に纏め、第１ハウジングの数と第２ハウジングの数を、夫々、１つずつとしたが、中継ハーネスは、中継電線の束を途中で分岐させ、第１ハウジングと第２ハウジングのうち少なくとも一方のハウジングの数を複数個としたものであってもよい。
（１０）上記実施例１では、第１電線と中継電線と第２電線が、非シールドタイプの電線であったが、本発明は、第１電線と中継電線と第２電線が、シールド電線である場合にも適用できる。
（１１）上記実施例２では、第１電線と中継電線が、非シールドタイプの電線であったが、本発明は、第１電線と中継電線が、シールド電線である場合にも適用できる。
【符号の説明】
【００３８】
Ａ…ワイヤーハーネス
１０…第１ハーネス（ハーネス構成体）
１１…第１電線（導電路）
１６…第１コネクタ
２０…第２ハーネス（回路構成体）
２６…第２コネクタ
３０…中継ハーネス
３１…中継電線
３２…第３導体（導体）
３３…第３絶縁被覆（被覆材）
３６…第１ハウジング
３７…第２ハウジング
Ｂ…ワイヤーハーネス
４２…第２コネクタ
４０…機器（回路構成体）
【図１】
2014229562.tif 000003
【図２】
2014229562.tif 000004
【図３】
2014229562.tif 000005
【図４】
2014229562.tif 000006
【図５】
2014229562.tif 000007
【図６】
2014229562.tif 000008
【図７】
2014229562.tif 000009
【図８】
2014229562.tif 000010